(57)【要約】  【課題】  施工現場での斜め切断加工を不要にして施工工数の削減が図れると共に、外観的に見栄えよい仕上がり状態が得られ、その上、施工時及び施工後の安全性向上を達成できる壁体開口廻りの化粧構造を提供する。  【解決手段】  壁体１に形成の開口２の水平辺及び垂直辺に沿って開口貫通方向の両側面部１ａ，１ｂ及び端面部１ｃを覆う断面コの字形の水平化粧部材３及び垂直化粧部材５が固定され、これら水平及び垂直化粧部材３，５はそれらの各辺長さ方向の端縁３ｅ，５ｅが相手側化粧部材５，３の内端縁辺の延長線上に位置する長さに形成され、かつ、両化粧部材３，５の辺長さ方向端縁３ｅ，５ｅ間に形成のコーナー部には、それら辺長さ方向端縁３ｅ，５ｅに突き合わせられる内側直角二端縁６ｅ１，６ｅ２と両化粧部材３，５の外端縁辺の延長線上に位置する外側直角二端縁６ｂ１，６ｂ２とを有する矩形の平板状化粧部材６が固定されている。  【選択図】      図１
2006052537.tif 000002
【特許請求の範囲】
【請求項１】
壁体に形成された開口の水平辺と垂直辺にそれぞれ沿って壁体の開口貫通方向の両側面部の少なくとも一方及び端面部を覆うように断面コの字形またはＬ字形の水平化粧部材と垂直化粧部材とが固定され、これら水平化粧部材と垂直化粧部材の各辺長さ方向の端縁を突き合わせ状態に施工してなる壁体開口廻りの化粧構造であって、
前記水平化粧部材及び垂直化粧部材はそれらの辺長さ方向端縁がそれぞれ相手側化粧部材の内端縁辺の延長線上に位置する長さに形成されており、これら両化粧部材の辺長さ方向端縁間に形成されるコーナー部で壁体の開口貫通方向の少なくとも一側面部には、両化粧部材の辺長さ方向端縁に突き合わせられる内側直角二端縁と両化粧部材の外端縁辺の延長線上に位置する外側直角二端縁とを有する矩形の平板状化粧部材が固定されていることを特徴とする壁体開口廻りの化粧構造。
【請求項２】
前記平板状化粧部材は、その外側直角二端縁の接合角部が円弧状に加工されている請求項１に記載の壁体開口廻りの化粧構造。
【請求項３】
前記水平化粧部材及び垂直化粧部材の辺長さ方向端縁とこれら端縁に突き合わせられる平板状化粧部材の内側直角二端縁との隙間にはそれぞれシール材が、各化粧部材の表面と面一となるように充填されている請求項１または２に記載の壁体開口廻りの化粧構造。
【発明の詳細な説明】
【技術分野】
【０００１】
本発明は、例えば物流センターにおける大型冷凍庫内の断熱仕切りパネル等の各種の壁体に通行路やコンベア通路を確保する、あるいは、窓やドア等の建具を取り付けるために貫通状態に形成されている開口廻りを見栄えよく仕上げるために施工される壁体開口廻りの化粧構造に関する。より詳しくは、壁体に形成された開口の水平辺と垂直辺にそれぞれ沿い、その壁体の開口貫通方向の両側面部の少なくとも一方及び端面部を覆うように断面コの字形またはＬ字形の水平化粧部材と垂直化粧部材とが固定され、これら水平化粧部材と垂直化粧部材の各辺長さ方向の端縁を突き合わせ状態に施工してなる壁体開口廻りの化粧構造に関する。
【背景技術】
【０００２】
例えば、大型冷凍庫内に構築された断熱仕切りパネル（壁体）に貫通状態に形成された通行路あるいはコンベア通路用の開口廻りの化粧構造として、従来一般には、図４及び図５に示すような構造が採用されていた。すなわち、断熱仕切りパネル１に形成された開口２の上下に対向する水平辺に沿い断面コの字形の鋼製水平化粧部材３がパネル１の開口貫通方向の両側面部１ａ，１ｂ及び端面部１ｃを覆うようにビス等の打止具４を介して固定されている。また、前記開口２の左右に対向する垂直辺に沿い同様に断面コの字形の鋼製垂直化粧部材５がパネル１の開口貫通方向の両側面１ａ，１ｂ及び端面部１ｃを覆うようにビス等の打止具４を介して固定されている。
【０００３】
そして、水平化粧部材３の辺長さ方向の端縁３ｅ及び垂直化粧部材５の辺長さ方向の端縁５ｅはそれぞれ施工現場において、各辺長さ方向に対して４５°の傾斜角度になるように斜めに切断加工された上、それら切断端縁３ｅ，５ｅ同士を直接に突き合わせることにより、全体矩形状の化粧面の４つのコーナー部に斜線が入った特異なアクセントを持つ開口廻りの化粧構造に仕上げ施工されていた。
【発明の開示】
【発明が解決しようとする課題】
【０００４】
しかし、上記したような従来の壁体開口廻りの化粧構造による場合は、水平、垂直両化粧部材３，５を開口２の大きさ（縦横寸法）に対応する長さに調節したうえ、それら化粧部材３，５の端縁３ｅ，５ｅを施工現場での手作業により斜めに切断加工しなければならないため、現場工数が多くて施工性に欠ける。また、断面コの字形の化粧部材３，５をばらつきなく一定の傾斜角度に切断することが難しいため、突き合わせ端縁３ｅ，５ｅ間に隙間が発生しやすいだけでなく、その隙間の大きさや形態にも個人差が出やすく、その結果、斜線という特異なアクセントを持せた割に外観見栄えの悪い仕上がり状態となりやすい。さらに、斜め切断された端縁３ｅ，５ｅの突き合わせ部には金属返りが生じたり、先尖り状突片が形成されたりしており、施工時はもとより施工後においても手指等が触れた際に負傷しやすい等々の問題があった。
【０００５】
本発明は上記のような実情に鑑みてなされたもので、施工現場での斜め切断加工を不要にして施工工数の削減が図れるのみならず、外観的に見栄えよい仕上がり状態が得られ、その上、施工時及び施工後の安全性向上を達成できる壁体開口廻りの化粧構造を提供することを目的としている。
【課題を解決するための手段】
【０００６】
上記目的を達成するために、本発明に係る壁体開口廻りの化粧構造は、壁体に形成された開口の水平辺と垂直辺にそれぞれ沿って壁体の開口貫通方向の両側面部の少なくとも一方及び端面部を覆うように断面コの字形またはＬ字形の水平化粧部材と垂直化粧部材とが固定され、これら水平化粧部材と垂直化粧部材の各辺長さ方向の端縁を突き合わせ状態に施工してなる壁体開口廻りの化粧構造であって、前記水平化粧部材及び垂直化粧部材はそれらの辺長さ方向端縁がそれぞれ相手側化粧部材の内端縁辺の延長線上に位置する長さに形成されており、これら両化粧部材の辺長さ方向端縁間に形成されるコーナー部で壁体の開口貫通方向の少なくとも一側面部には、両化粧部材の辺長さ方向端縁に突き合わせられる内側直角二端縁と両化粧部材の外端縁辺の延長線上に位置する外側直角二端縁とを有する矩形の平板状化粧部材が固定されていることを特徴としている。
【発明の効果】
【０００７】
上記のような特徴構成を有する本発明によれば、水平及び垂直両化粧部材についてはそれらの辺長さ方向の端縁を壁体の開口の大きさ（縦横寸法）に対応する長さで直角に切断して壁体に固定するとともに、それら両化粧部材の端縁間に形成されるコーナー部については工場等で予め矩形に形成されている平板状化粧部材をそのまま壁体の開口貫通方向の両側面部に固定するだけで開口廻りの化粧を施工することが可能であり、技術的に難しい施工現場での斜め切断加工は全く不要である。したがって、施工工数を削減して施工性の向上を図ることができるばかりでなく、水平及び垂直両化粧部材の辺長さ方向端縁と平板状化粧部材の直角二端縁とは個人差によるばらつきを殆んど生じることなく一定の隙間で突き合わせて、コーナー部を含む化粧全体を外観的に非常に見栄えよい仕上がり状態に施工することができる。加えて、端縁の突き合わせ箇所に金属返りが生じたり、角部に先尖り状突片が形成されることもなく表面及び周縁全体をフラットに仕上げることができるので、施工時並びに施工後の開口利用時に手指等を触れて負傷する恐れも全くなく、安全性の向上を達成することができるという効果を奏する。
【０００８】
特に、本発明に係る壁体開口廻りの化粧構造において、請求項２に記載のように、前記平板状化粧部材の外側直角二端縁の接合角部を円弧状に加工しておくことにより、施工時及び施工後の開口利用時における安全性を一層向上することができる。
【０００９】
また、本発明に係る壁体開口廻りの化粧構造において、請求項３に記載のように、前記水平化粧部材及び垂直化粧部材の辺長さ方向端縁とこれら端縁に突き合わせられる平板状化粧部材の内側直角二端縁との隙間にそれぞれシール材を、各化粧部材の表面と面一となるように充填させることにより、製造公差等により突き合わせ箇所（継ぎ目）に微小な隙間が発生したとしても、各化粧部材の表面を面一フラットに維持して所定の外観見栄え及び安全性を確保することができる。
【発明を実施するための最良の形態】
【００１０】
以下、本発明の実施例を、図面を参照しながら説明する。
図１は、本発明を大型冷凍庫内に構築された断熱仕切りパネル（壁体）に貫通状態に形成された開口廻りの化粧構造に適用した状態を示す要部の正面図、図２は図１のＡ−Ａ線に沿う縦断面図、図３は図１のＢ−Ｂ線に沿う横断面図である。なお、本実施例において、図３及び図４に示す従来の化粧構造と同一の構成要素、構成部位には同一の符号を付して説明する。
【００１１】
図１〜図３において、２は断熱仕切りパネル（壁体の一例）１に形成された通行路あるいはコンベア通路用の開口であり、この開口２の上下に対向する水平辺に沿って断面コの字形の鋼製水平化粧部材３が断熱仕切りパネル１の開口貫通方向の両側面部１ａ，１ｂ及び端面部１ｃを覆うようにビス等の打止具４を介して固定されている。また、前記開口２の左右に対向する垂直辺に沿って断面コの字形の鋼製垂直化粧部材５が、前記水平化粧部材３と同様に、断熱仕切りパネル１の開口貫通方向の両側面１ａ，１ｂ及び端面部１ｃを覆うようにビス等の打止具４を介して固定されている。
【００１２】
前記水平化粧部材３は、その辺長さ方向の左右両端縁３ｅが垂直化粧部材５の内端縁辺５ａの延長線上に位置する長さに切断加工されているとともに、前記垂直化粧部材５は、その辺長さ方向の上下両端縁５ｅが水平化粧部材３の内端縁辺３ａの延長線上に位置する長さに切断加工されている。そして、水平化粧部材３の辺長さ方向端縁３ｅと垂直化粧部材５の辺長さ方向端縁５ｅとの間に形成されるコーナー部で断熱仕切りパネル１の開口２貫通方向の両側面１ａ，１ｂにはそれぞれ、平板状化粧部材６，６がビス等の打止具７，７を介して固定されている。
【００１３】
この平板状化粧部材６は、水平化粧部材３の辺長さ方向端縁３ｅ及び垂直化粧部材５の辺長さ方向端縁５ｅに突き合わせられる内側直角二端縁６ｅ１，６ｅ２と、水平及び垂直化粧部材３，５の外端縁辺３ｂ，５ｂの延長線上にそれぞれ位置する外側直角二端縁６ｂ１，６ｂ２を有する矩形状に形成されており、そのうち外側直角二端縁６ｂ１，６ｂ２の接合角部６ｃは小半径の円弧状にＲ（アール）加工されている。
【００１４】
また、水平化粧部材３の辺長さ方向端縁３ｅ及び垂直化粧部材５の辺長さ方向端縁５ｅとこれら端縁３ｅ，５ｅに突き合わせられる平板状化粧部材６の内側直角二端縁６ｅ１，６ｅ２との間の隙間にはそれぞれ、コーキング材（シール材の一例）８が充填されて各化粧部材３，５，６の表面が面一フラットに形成されている。
【００１５】
上述したように、水平及び垂直両化粧部材３，５はそれらの辺長さ方向端縁３ｅ，５ｅを開口２の大きさ（縦横寸法）に対応する長さで直角に切断して断熱仕切りパネル１に固定するとともに、それら両化粧部材３，５の辺長さ方向端縁３ｅ，５ｅ間に形成されるコーナー部には工場等で予め矩形に形成されている平板状化粧部材６をそのまま断熱仕切りパネル１の開口２貫通方向の両側面部１ａ，１ｂに固定するだけで開口２廻りの化粧を施工することが可能であって、化粧部材３，５に対する斜め切断加工は全く要しないので、現場での施工工数を削減して施工性の向上が図れるばかりでなく、水平及び垂直両化粧部材３，５の辺長さ方向端縁３ｅ，５ｅと、平板状化粧部材６の内側直角二端縁６ｅ１，６ｅ２とを、個人差によるばらつきが生じないように一定の隙間に突き合わせることが可能であり、コーナー部を含む開口２廻り全体として外観的に非常に見栄えよい仕上がり状態の化粧構造を施工することができる。
【００１６】
また、突き合わせ箇所に金属返りが生じたり、角部に先尖り状突片が形成されることもなく各化粧部材３，５，６の表面全体をフラットに保てるので、施工時並びに施工後における開口２の利用時に手指等を触れて負傷する恐れもなく、安全性を確保することができる。特に、平板状化粧部材６の外側直角二端縁６ｂ１，６ｂ２の接合角部６ｃが円弧状にＲ加工されているので、施工時及び施工後における安全性を一層向上することができる。さらに、水平及び垂直両化粧部材３，５の辺長さ方向端縁３ｅ，５ｅと平板状化粧部材６の内側直角二端縁６ｅ１，６ｅ２との隙間にはそれぞれコーキング材８が各化粧部材３，５，６の表面と面一となるように充填されているので、製造公差や温度変化に伴う伸縮等により、突き合わせ箇所（継ぎ目）に微小な隙間が発生したとしても、各化粧部材３，５，６の表面を面一フラットに維持して所定の外観見栄え及び安全性を確保することができる。
【００１７】
なお、上記実施例は、大型冷凍庫内に構築された断熱仕切りパネル１に貫通状態に形成された通行路あるいはコンベア通路用の開口２廻りの化粧構造に適用したが、ガラス窓やドア等の建具を取り付けるために断熱仕切りパネル１に形成されている開口２廻りの化粧構造に適用してもよい。
【００１８】
また、上記実施例では、水平及び垂直化粧部材３，５として、断面コの字形のものを用いて断熱仕切りパネル１の開口貫通方向の両側面部を化粧する場合について説明したが、断面Ｌ字形のものを使用して断熱仕切りパネル１の開口２貫通方向の一側面部側のみの化粧仕上げする場合の化粧構造に適用してもよい。
【図面の簡単な説明】
【００１９】
【図１】本発明を、大型冷凍庫内に構築された断熱仕切りパネル（壁体）に貫通状態に形成された開口廻りの化粧構造に適用した状態を示す要部の正面図である。
【図２】図１のＡ−Ａ線に沿う縦断面図である。
【図３】図１のＢ−Ｂ線に沿う横断面図である。
【図４】従来の壁体開口廻りの化粧構造を示す要部の正面図である。
【図５】図４のＣ−Ｃ線に沿う縦断面図である。
【符号の説明】
【００２０】
１  断熱仕切りパネル（壁体の一例）
１ａ，１ｂ  断熱仕切りパネルの開口貫通方向の両側面部
１ｃ  断熱仕切りパネルの端面部
２  開口
３  水平化粧部材
５  垂直化粧部材
３ｅ，５ｅ  辺長さ方向端縁
６  平板状化粧部材
６ｂ１，６ｂ２  外側直角二端縁
６ｅ１，６ｅ２  内側直角二端縁
８  コーキング材（シール材の一例）
【図１】
2006052537.tif 000003
【図２】
2006052537.tif 000004
【図３】
2006052537.tif 000005
【図４】
2006052537.tif 000006
【図５】
2006052537.tif 000007